(57)【要約】      （修正有）【課題】動物が排便排尿する際、糞や尿の地面落下前にそれを受け止め、環境の衛生及び清潔を保護すると共に飼主の糞処理の面倒を解決する、動物排泄物をキャッチする便袋尿袋と便袋尿袋に結合する便器及び便器に結合する装着物を提供する。【解決手段】上板片３１は離型紙をはがして上板片３１底面の粘着部分をジャバラ体３２の上端面に粘着、底板片３３の離型紙の外円部もはがして、露出する粘着部分をジャバラ体３２の底端面に粘着すると、上端が開いて底端が封鎖している便袋３０が完成する。上板片３１のもう一方の離型紙３６は、便袋３０が糞をキャッチした場合はがして上板片３１を二つ折に粘着すると、便袋３０の口を閉じることができる。【選択図】図５
2006166914.tif 000002
【特許請求の範囲】
【請求項１】
便袋の上端は開き、底端は封鎖状態を呈し、その二端の間には伸縮可能な複数のジャバラを具えるジャバラ体を設け、便袋が伸張した場合は、その内部に収納空間を形成することを特徴とする動物排泄物をキャッチする便袋。
【請求項２】
請求項１記載の動物排泄物をキャッチする便袋において、防水性の紙質材料により製作することを特徴とする動物排泄物をキャッチする便袋。
【請求項３】
請求項１記載の動物排泄物をキャッチする便袋において、分解可能な材料により製作することを特徴とする動物排泄物をキャッチする便袋。
【請求項４】
請求項１記載の動物排泄物をキャッチする便袋において、便袋の上端には通孔を具える上板片を結合し、上板片上端面には粘着剤を塗布した後、通孔を具える離型紙を上部に付着させることを特徴とする動物排泄物をキャッチする便袋。
【請求項５】
請求項１記載の動物排泄物をキャッチする便袋において、便袋上端には通孔を具える上板片を結合、上板片の上端面には粘着可能な複数のフック面もしくはループ面を設けることを特徴とする動物排泄物をキャッチする便袋。
【請求項６】
尿袋は、入口を具える封鎖体であり、尿袋の外表面は防水層とし、内部には吸水体を充填、並びに隙間を形成、尿袋底部の入口から外側方向に設けた延伸部と入口間の両側に、突出した防御部を形成することを特徴とする動物排泄物をキャッチする尿袋。
【請求項７】
請求項６記載の動物排泄物をキャッチする尿袋において、尿袋両側に結合する単数または複数の翼片を設けることを特徴とする動物排泄物をキャッチする尿袋。
【請求項８】
通孔を具える固定座両側に間隔を開けた複数の連結バンドをそれぞれ設け、固定座上には便袋に組み合わせる結合箇所を設け、各連結バンドの別の一端に設けた結合部することを特徴とする本発明の動物排泄物をキャッチする便袋尿袋に結合する便器。
【請求項９】
請求項８記載の動物排泄物をキャッチする便袋尿袋に結合する便器において、各連結バンドの別の一端に設けた結合部は、粘着結合するループ面もしくはフック面を具えることを特徴とする動物排泄物をキャッチする便袋尿袋に結合する便器。
【請求項１０】
請求項８記載の動物排泄物をキャッチする便袋尿袋に結合する便器において、固定座の外周面に凹部を形成することを特徴とする動物排泄物をキャッチする便袋尿袋に結合する便器。
【請求項１１】
請求項８記載の動物排泄物をキャッチする便袋尿袋に結合する便器において、連結バンドは弾性を有し伸縮可能であることを特徴とする動物排泄物をキャッチする便袋尿袋に結合する便器。
【請求項１２】
請求項８記載の動物排泄物をキャッチする便袋尿袋に結合する便器において、固定座の結合箇所である固定座の外表面には粘着結合可能なループ面もしくはフック面を設けることを特徴とする動物排泄物をキャッチする便袋尿袋に結合する便器。  
【請求項１３】
請求項８記載の動物排泄物をキャッチする便袋尿袋に結合する便器において、固定座の結合箇所は、窪んだ切口を具える支片と固定座の外輪郭とを共に結合し、支片の窪んだ切口と固定座が未結合である場合、支片の窪んだ切口と固定座の通孔は真向かいとなり、支片と固定座間には隙間が形成されており、支片の表面及び裏面の外輪郭には粘着可能なループ面もしくはフック面を設けることを特徴とする動物排泄物をキャッチする便袋尿袋に結合する便器。
【請求項１４】
請求項８記載の動物排泄物をキャッチする便袋尿袋に結合する便器において、固定座一側面の複数の連結バンドは共に結合部に結合され、その結合部の上端面及び底面には粘着結合可能なフック面もしくはループ面を設けることを特徴とする動物排泄物をキャッチする便袋尿袋に結合する便器。
【請求項１５】
請求項１２記載の動物排泄物をキャッチする便袋尿袋に結合する便器において、固定座の外表面には粘着結合可能な嵌片を設け、その嵌片は窪んだ切口を具え、この切口内側には内側窪み方向の凹溝を形成、外輪郭側は封鎖状とし、一側面にはループ面を、もう一方の側面にはフック面を設けることを特徴とする動物排泄物をキャッチする便袋尿袋に結合する便器。
【請求項１６】
請求項１３記載の動物排泄物をキャッチする便袋尿袋に結合する便器において、支片のループ面もしくはフック面は別の支片に粘着結合することを特徴とする動物排泄物をキャッチする便袋尿袋に結合する便器。
【請求項１７】
装着物は、間隔のあいた複数の輪を具え、その複数の輪は動物首部にセットする首囲部、動物の胸部にセットする胸囲部、動物の腹部にセットする腹囲部により構成され、各輪の上端及び下端には、それぞれ連結バンドを連結、腹囲部の上端には結合部を設けることを特徴とする便器に結合する装着物。
【請求項１８】
請求項１７記載の便器に結合する装着物において、粘着結合可能なループ面もしくはフック面を具えることを特徴とする便器に結合する装着物。
【請求項１９】
請求項１７記載の便器に結合する装着物において、オスロック具もしくはメスロック具を具えることを特徴とする便器に結合する装着物。
【請求項２０】
請求項１７記載の便器に結合する装着物において、入れ物ケースを組み合わせることを特徴とする便器に結合する装着物。
【請求項２１】
装着物は動物の背中を覆う平面布を具え、その装着物上の間隔をあけた前方方向に結合可能な連結バンドを設けて、動物の首の周りにセット、その装着物両側相対位置に間隔をあけ下向きで、各２つが結合可能な連結バンドを設けて、動物の胸部、腹部に回して用い、また、結合する連結バンドには嵌合可能な嵌合具を設け、装着物の背中には、間隔をあけて排列した高さのある複数のクッションを設け、クッション間には空気道を形成、また、平面布外側面には粘着可能なループ面もしくはフック面を設けることを特徴とする便器に結合する装着物。
【請求項２２】
請求項２１記載の便器に結合する装着物において、収納空間を具える収納袋を設けることを特徴とする便器に結合する装着物。
【請求項２３】
請求項２１記載の便器に結合する装着物において、ループ面もしくはフック面箇所には、フック面もしくはループ面を具える別の覆部を粘着結合することを特徴とする便器に結合する装着物。
【請求項２４】
請求項２１記載の便器に結合する装着物において、ループ面もしくはフック面箇所には、フック面もしくはループ面を具える包布を装着物下方より粘着結合して動物の腹部を覆うことを特徴とする便器に結合する装着物。
【発明の詳細な説明】
【技術分野】
【０００１】
本発明は、動物排泄物をキャッチする便袋尿袋と便袋尿袋に結合する便器及び便器に結合する装着物を提供する。その主な用途は、動物が排便、排尿する場合、糞や尿が地面に落ちる前に素早くそれをキャッチするもので、環境の清潔と衛生を保護し、飼主の糞処理の面倒を解決する。それは主に、ループ面を具え且つ伸縮可能な便袋に結合する軟質の固定座、及び固定座上下両端のそれぞれ間隔をあけたいくつかの連結バンドを動物の身体に着ける装着物に結合させ、固定座を引っ掛け、並びに動物の臀部に密着させ、また、固定座の下端の数個の連結バンドと内部に吸水体と収納空間を具える尿袋を結合させると、便袋の開いた口が動物の排便口に真っ向し、尿袋は雌動物の場合排尿口を覆い、雄動物の場合陰茎を直接挿入することができ、動物の排便もしくは排尿時においては、排出される糞や尿を便袋、尿袋がキャッチ、糞や尿を地面に落とすことなく、環境の清潔と衛生が守られ、飼主の糞処理の面倒を解決する。
【背景技術】
【０００２】
現代人がペットを飼うのは非常にブームになっており、その中でも猫や犬は最もポピュラーなペットであるが、反面、その排便は飼主の悩みの種である。某諸国や地域では現在ペットを散歩させる場合、その糞処理が法律によって飼主に義務付けられており、しない場合は罰金である。猫は比較的身体が小さく、その排便量も少ないこと、戸外運動に連れて行く必要がないこと、現在使用されている猫の砂によって、猫の排便問題はすでに解決されている。しかし、犬の糞量は比較的多く、適度な運動量も必要である為、毎日戸外運動に連れて行かなければならないことから、歩道もしくは公園など公共の場で排便排尿をしてしまうことも多分にある。現在市場に出ているものの中に拾って捨てる方式のものがあり、それは、犬が地面に排便した後、挟みで拾い上げ、袋に納めてから捨てる。
【発明の開示】
【発明が解決しようとする課題】
【０００３】
しかしながら、この方式は、硬めで顆粒状の糞には向いているが、柔らかいか泥状の糞には不向きであり、非常に飼主を困らせている。また、犬の排尿問題において、ペット用の紙おむつで犬の後臀部全体を覆い、紙おむつに尿吸収を任せるという飼主もいる。しかしこれは、美観に劣る。また、尿の比較的多い中大型犬の場合は、完全な尿吸収が非常に難しいので漏れてしまうこともある。そこで、犬の糞尿を地面に落とす前にいかに器具を使って正確にキャッチして環境の衛生及び清潔を保護し、犬の糞処理において飼主の面倒を取り除き、犬の身体に便利に装着、犬の正常な動きを妨げない器具の開発は研究すべき方向にある。
【０００４】
上記従来品の欠点を解決すべく、本発明人は、犬を飼っている経験から犬の身体の構造及び特徴に基づき、研究と製図を重ね、ついに本発明に至った。
本発明の主な目的は、動物が排便する際、動物の臀部に取り付ける便袋によって糞をキャッチ、糞の地面落下を防ぐことができる為、糞処理という飼主の苦しみを取り除き、環境の衛生及び清潔を保護する本発明を提案することにある。
本発明の次の目的は、同時に動物の排尿問題を解決することにある。動物が排尿する際、動物の二つの後脚間に取り付けた尿袋によって尿をキャッチ、尿が地面にこぼれたりして動物の脚にかからないようにして、動物の身体及び環境の清潔と衛生を保護する本発明を提案することにある。
【０００５】
本発明の別の目的は、動物の身体に着せる装着物上に、単数から複数の使用後の便袋及び尿袋を入れる入れ物ケースを設け、飼主が糞処理後、ゴミを捨てるゴミ箱が見つからない問題を解決、飼主が動物を連れて散歩に出る時、快い気持ちを保つことができる本発明を提案することにある。
【０００６】
本発明のもう一つの目的は、装着物外側にフック面に結合するループ面を設け、異なる色、図柄、機能を持つ別の覆部を元の装着物上面に結合することにより、装着物に異なる変化を与え異なる機能を持たせ、また、包布を装着物下面に結合して動物の腹部を覆うことにより保温効果を生む本発明を提案することにある。
【０００７】
本発明のまた別の目的は、装着物の内側に間隔をあけて排列し取外し可能な複数の軟質クッションを設けてある為、装着物と動物背部が接触した場合、動物背部両端の複数の空気道によって通気性が保たれ、クッションを取外した後、装着物は保温効果を有する本発明を提案することにある。
【課題を解決するための手段】
【０００８】
請求項１の発明は、便袋の上端は開き、底端は封鎖状態を呈し、その二端の間には伸縮可能な複数のジャバラを具えるジャバラ体を設け、便袋が伸張した場合は、その内部に収納空間を形成することを特徴とする動物排泄物をキャッチする便袋としている。
請求項２の発明は、請求項１記載の動物排泄物をキャッチする便袋において、防水性の紙質材料により製作することを特徴とする動物排泄物をキャッチする便袋としている。
請求項３の発明は、請求項１記載の動物排泄物をキャッチする便袋において、分解可能な材料により製作することを特徴とする動物排泄物をキャッチする便袋としている。
請求項４の発明は、請求項１記載の動物排泄物をキャッチする便袋において、便袋の上端には通孔を具える上板片を結合し、上板片上端面には粘着剤を塗布した後、通孔を具える離型紙を上部に付着させることを特徴とする動物排泄物をキャッチする便袋としている。
請求項５の発明は、請求項１記載の動物排泄物をキャッチする便袋において、便袋上端には通孔を具える上板片を結合、上板片の上端面には粘着可能な複数のフック面もしくはループ面を設けることを特徴とする動物排泄物をキャッチする便袋としている。
請求項６の発明は、尿袋は、入口を具える封鎖体であり、尿袋の外表面は防水層とし、内部には吸水体を充填、並びに隙間を形成、尿袋底部の入口から外側方向に設けた延伸部と入口間の両側に、突出した防御部を形成することを特徴とする動物排泄物をキャッチする尿袋としている。
請求項７の発明は、請求項６記載の動物排泄物をキャッチする尿袋において、尿袋両側に結合する単数または複数の翼片を設けることを特徴とする動物排泄物をキャッチする尿袋としている。
【０００９】
請求項８の発明は、通孔を具える固定座両側に間隔を開けた複数の連結バンドをそれぞれ設け、固定座上には便袋に組み合わせる結合箇所を設け、各連結バンドの別の一端に設けた結合部することを特徴とする本発明の動物排泄物をキャッチする便袋尿袋に結合する便器としている。
請求項９の発明は、請求項８記載の動物排泄物をキャッチする便袋尿袋に結合する便器において、各連結バンドの別の一端に設けた結合部は、粘着結合するループ面もしくはフック面を具えることを特徴とする動物排泄物をキャッチする便袋尿袋に結合する便器としている。
請求項１０の発明は、請求項８記載の動物排泄物をキャッチする便袋尿袋に結合する便器において、固定座の外周面に凹部を形成することを特徴とする動物排泄物をキャッチする便袋尿袋に結合する便器としている。
請求項１１の発明は、請求項８記載の動物排泄物をキャッチする便袋尿袋に結合する便器において、連結バンドは弾性を有し伸縮可能であることを特徴とする動物排泄物をキャッチする便袋尿袋に結合する便器としている。
請求項１２の発明は、請求項８記載の動物排泄物をキャッチする便袋尿袋に結合する便器において、固定座の結合箇所である固定座の外表面には粘着結合可能なループ面もしくはフック面を設けることを特徴とする動物排泄物をキャッチする便袋尿袋に結合する便器としている。
請求項１３の発明は、請求項８記載の動物排泄物をキャッチする便袋尿袋に結合する便器において、固定座の結合箇所は、窪んだ切口を具える支片と固定座の外輪郭とを共に結合し、支片の窪んだ切口と固定座が未結合である場合、支片の窪んだ切口と固定座の通孔は真向かいとなり、支片と固定座間には隙間が形成されており、支片の表面及び裏面の外輪郭には粘着可能なループ面もしくはフック面を設けることを特徴とする動物排泄物をキャッチする便袋尿袋に結合する便器としている。
請求項１４の発明は、請求項８記載の動物排泄物をキャッチする便袋尿袋に結合する便器において、固定座一側面の複数の連結バンドは共に結合部に結合され、その結合部の上端面及び底面には粘着結合可能なフック面もしくはループ面を設けることを特徴とする動物排泄物をキャッチする便袋尿袋に結合する便器としている。
請求項１５の発明は、請求項１２記載の動物排泄物をキャッチする便袋尿袋に結合する便器において、固定座の外表面には粘着結合可能な嵌片を設け、その嵌片は窪んだ切口を具え、この切口内側には内側窪み方向の凹溝を形成、外輪郭側は封鎖状とし、一側面にはループ面を、もう一方の側面にはフック面を設けることを特徴とする動物排泄物をキャッチする便袋尿袋に結合する便器としている。
請求項１６の発明は、請求項１３記載の動物排泄物をキャッチする便袋尿袋に結合する便器において、支片のループ面もしくはフック面は別の支片に粘着結合することを特徴とする動物排泄物をキャッチする便袋尿袋に結合する便器としている。
【００１０】
請求項１７の発明は、装着物は、間隔のあいた複数の輪を具え、その複数の輪は動物首部にセットする首囲部、動物の胸部にセットする胸囲部、動物の腹部にセットする腹囲部により構成され、各輪の上端及び下端には、それぞれ連結バンドを連結、腹囲部の上端には結合部を設けることを特徴とする便器に結合する装着物としている。
請求項１８の発明は、請求項１７記載の便器に結合する装着物において、粘着結合可能なループ面もしくはフック面を具えることを特徴とする便器に結合する装着物としている。
請求項１９の発明は、請求項１７記載の便器に結合する装着物において、オスロック具もしくはメスロック具を具えることを特徴とする便器に結合する装着物としている。
請求項２０の発明は、請求項１７記載の便器に結合する装着物において、入れ物ケースを組み合わせることを特徴とする便器に結合する装着物としている。
請求項２１の発明は、装着物は動物の背中を覆う平面布を具え、その装着物上の間隔をあけた前方方向に結合可能な連結バンドを設けて、動物の首の周りにセット、その装着物両側相対位置に間隔をあけ下向きで、各２つが結合可能な連結バンドを設けて、動物の胸部、腹部に回して用い、また、結合する連結バンドには嵌合可能な嵌合具を設け、装着物の背中には、間隔をあけて排列した高さのある複数のクッションを設け、クッション間には空気道を形成、また、平面布外側面には粘着可能なループ面もしくはフック面を設けることを特徴とする便器に結合する装着物としている。
請求項２２の発明は、請求項２１記載の便器に結合する装着物において、収納空間を具える収納袋を設けることを特徴とする便器に結合する装着物としている。
請求項２３の発明は、請求項２１記載の便器に結合する装着物において、ループ面もしくはフック面箇所には、フック面もしくはループ面を具える別の覆部を粘着結合することを特徴とする便器に結合する装着物としている。
請求項２４の発明は、請求項２１記載の便器に結合する装着物において、ループ面もしくはフック面箇所には、フック面もしくはループ面を具える包布を装着物下方より粘着結合して動物の腹部を覆うことを特徴とする便器に結合する装着物としている。
【発明の効果】
【００１１】
本発明は、以下の長所を持つことを特徴とする。
1.本発明は、動物の毎回の排便及び排尿を正確にキャッチ、飼主の糞処理という面倒を解決、また、環境の清潔及び衛生を保護する。
2.本発明は犬の排泄物をキャッチする便袋、尿袋であり、分解可能な材料によって製造した場合は、有機肥料を作ることができ、環境の二次汚染を引き起こさないばかりか植物の肥料作成が可能であることから、一挙両得である。
3.本発明の各部品は取外しに便利で、動物と共に外出する場合も、非常に便利である。
4.本発明のベスト及びバンドには、どれも物を入れる箇所がついており、動物と共に外出する場合、動物自身がしようする物品は動物に背負わせることができるので、飼主の負担を削減、また、便袋及び尿袋は捨てられるゴミ箱がない場合、入れ物ケース（もしくは収納袋）内に一時的収納可能である為、飼主の糞の持ち運びの面倒を解決する。
5.本発明の便袋は、動物の糞の重量を受けていない場合、扁平状に縮小して固定座に結合しているので、動物も気にならず、動物の正常活動及び排便を妨げることがない。
6.本発明のベストは、通気が良く、暑い日でも着せることができ、冬にはクッションを取り除き包布を組み合わせて保温効果をはかることも可能で、且つ飼主の気分に応じて異なる色や図柄の覆部７０に交換して、ベストに多種の美感を加えられる。
【発明を実施するための最良の形態】
【００１２】
図1〜５に示すとおり、本発明の便袋３０は、一体成型方式で作成もしくは複数の部品結合によって構成されるもので、その上端は開口３０１を具えて開いており、その底端は封鎖状で両端間には複数の折目を持ち伸縮可能なジャバラ体３２を設ける。図1に示すとおり、便袋３０は重力を受けていない場合、扁平状に収縮されており、図２には、重力を受けた場合伸張し、内部に収納空間を形成する図を示す。図3は、便器２０の固定座２１表面に設けた粘着するループ面２１５（図１６固定座２１に示すとおり）に合わせ、便袋３０上面に複数の粘着するフック面３１１を設ける。便袋３０は、防水紙質もしくは分解可能な材質によって作成される。図４、５に示すとおり、便袋３０は上板片３１、伸縮可能なジャバラ体３２、底板片３３によって構成される。上板片３１は通孔３１２のある環状型であり、その上、下両端面に粘着剤を塗り、更に離型紙３５を付着させるが、その離型紙３５は、外円部３５１及び中心部３５２を具えた形に予めカットする。ジャバラ体３２は伸縮可能で、通孔３２１を具えている為、上下は貫通している。上板片３１は離型紙３４をはがして上板片３１底面の粘着部分をジャバラ体３２の上端面に粘着、底板片３３の離型紙３５の外円部３５１もはがして、露出する粘着部分をジャバラ体３２の底端面に粘着すると、上端が開いて底端が封鎖している便袋３０が完成する。図5に示すとおり、上板片３１のもう一方の離型紙３６は、便袋３０が糞をキャッチした場合はがして上板片３１を二つ折に粘着すると、便袋３０の口を閉じることができる。
【００１３】
図６、７に示すとおり、本発明の尿袋１０は、入口１０１を具える封鎖体であり、その外表面は防水層で、その内部には吸水体１０６を詰める他、隙間１０７を形成、外側方向に延伸部１０８を設けた入口１０１端は、雌動物の排尿口を塞ぐことができる。延伸部１０８から入口１０１間の両側には、それぞれ突出した防御部１０９を形成、尿が尿袋１０にきちんと流入するのを促し、尿袋１０の周囲側面にはそれぞれ複数の翼片１０２、１０３、１０４、１０５を形成、便器２０下端の複数の連結バンド２２、２３に結合するのを助ける。各翼片１０２、１０３、１０４、１０５は、粘着結合可能なループ面もしくはフック面を設けるか、粘着剤を塗る。尿袋１０の表面には、単数もしくは複数の表示線１１０を付け、尿がそこまで来ると、自動的に変色する。図上板片３１に動物の身体構造を示すが、胸腔は腹部方向に行くに連れ徐々に細くなり、両脚間の股下に収納空間を形成する。連結バンド２２、２３に結合された尿袋１０は、動物の股下収納空間で位置を調節できる為、動物の動きに影響を与えることがない。
【００１４】
図８〜１７に示すとおり、本発明の便器２０は、軟質固定座２１の中央に通孔２１１を設け、固定座２１の外円面には、底縁において動物の尾根下部を支える凹部２１２を設ける。固定座２１の二つの対称となる側辺には、複数で間隔を有し、弾性があり伸縮可能な連結バンド２２、２３、２６、２７を設け、それらのもう一方の末端には、結合部２４、２５、２８をそれぞれ設け、連結バンド２６、２７は動物背部にまで延伸し、バンド４０もしくはベスト６０に結合、連結バンド２２、２３は動物の二つの後脚間の股下に通した後、上方向の動物の背中に延伸してバンド４０もしくはベスト６０に結合、また、便器２０の動物背中上部に結合する複数の連結バンド２６、２７は、分離状とすることも可能で、結合部２６１、２７１を具えるか、結合部２８に連結する。結合部２４、２５、２６１、２７１、２８の裏側には、粘着結合可能なフック面２４１、２５１、２７２、２８２を設けるが、それらをループ面にすることも可能である。図８に示すとおり、結合部２８表面にはループ面を設けて、結合部２４、２５を粘着結合するフラット面とし、また、図１１に示すとおり、結合部２８前端にロック具（オス）２９も別に設け、固定座２１上の便袋３０を結合させる結合箇所は、窪み切口を具え固定座２１下部外輪郭に相当する支片２１４であるが、粘着結合可能なループ面２１３を直接固定座２１と支片２１４の外周縁に縫製固定することにより、支片２１４と固定座２１間には隙間を形成、また、便袋３０の上板片３１を支片２１４の開口端より底端に挿入、同時に便袋３０の開口３０１と固定座２１の通孔２１１をぴったり合わせると、便袋３０の上板片３１は支片２１４の圧力を受ける為、便袋３０が糞をキャッチした後も抜け落ちることがない。且つ、便袋３０はとても便利に支片２１４の開口端から取り出すことができる。図２９、３２及び３３に示すとおり、支片９０は独立した形態とすることも可能で、その一側面の外円輪郭にはフック面９１を設けて、フック面９１の相対する側面の位置にはループ面９２を設け、或いはフック面９１のみを設け、ループ面９２は設置せず、支片９０のフック面９１を固定座２１のループ面２１３もしくはループ面２１５に粘着結合、支片９０のループ面９２をもう一つの支片９０に粘着結合する。図１４、１５に示すとおり、固定座２１は便袋３０と結合する結合箇所であり、固定座２１表面には、大きな面積を持ち嵌片２１６と粘着結合可能なループ面２１５を設け、窪んだ切口を具えた嵌片２１６の内側の切口方向には便袋３０の上板片３１を嵌入させる凹溝２１８を形成、嵌片２１６の外側は封鎖状とし、一側面にはフック面２１７を設けもう一方の側面にはループ面２１９を設けて便袋３０に嵌合する嵌片２１６は、そのフック面２１７を固定座２１のループ面２１５に粘着結合、嵌片２１６の切口と固定座２１の通孔２１１は同じサイズである為、便袋３０の開口３０１と固定座２１の通孔２１１は真向かいとなる。図１６、３０に示すとおり、糞をキャッチした便袋３０を取り外した後、動物がまた排便する可能性もあるので、予備の便袋３０及び嵌片２１６を取り付けるが、その場合は、別の嵌片２１６のフック面２１７を直接、元の嵌片２１６のループ面２１９に粘着結合する。図１７に示すとおり、便袋３０の上板片３１上に直接フック面３１１を設ける場合は、便袋３０のフック面３１１を固定座２１のループ面２１５に粘着結合する。
【００１５】
図８及び１０〜１２に示すとおり、本発明の装着物は、織って製造したバンド４０を含んでおり、そのバンド４０は、間隔を持つ複数の輪によって構成され、複数の輪は、動物首部にセットする首囲部４１、動物胸部にセットする胸囲部４２、動物腹部にセットする腹囲部４３を含み、各輪は皆その輪径を調節可能とし、また、胸囲部４２及び腹囲部４３には嵌合具４２１、４２２、４３１、４３２を設けて取外し分離可能もしくは組み合わせて輪にできるものとし、各輪の上端及び下端には各連結バンド４４、４５、４６、４７を連結、連結バンド４５、４６、４７は長さ調節可能であり、連結バンド４４上に設けたリング４４１は動物牽引用のロープを連結する為のもので、腹囲部４３上端に設けた結合部４９の表面は、粘着結合するループ面４９１であり、便器２０の結合部２８裏のフック面２８２に粘着結合する。図１１に示すとおり、結合部４９はロック具（メス）４８とすることも可能で、この場合は、結合部２８前端のロック具（オス）２９に嵌合する。
【００１６】
図１８、１９及び２２、２３に示すとおり、本発明の装着物は平面布を縫製したベスト６０であり、そのベスト６０の中程には大きな面積を持つループ面６１を設けて便器２０の各連結バンド２２、２３、２６、２７の結合部２４、２５、２６１、２７１、２８を粘着結合するものとし、その内ループ面６１は便器２０との組み合わせによってフック面とすることも可能で、また、ループ面６１の両側にはそれぞれ前方に延伸する連結バンド６８、６９を設け、この連結バンド６８、６９前端には、相互に嵌合するロック具（オス）６８１及びロック具（メス）６９１を設け、二つの連結バンド６８、６９動物の首部周囲に回して定位、ベスト６０の両側にはそれぞれ開閉可能な収納袋６２、６３を設け、その収納袋６２、６３は外側がネットで上端には前後両端に連結されたゴム６２１を縫い付け、各ゴム６２１裏には単数から複数のフック面（図中破線、番号未表示）を設け、各フック面に相対する収納袋６２、６３内側面には粘着結合するループ面６２２、６２３を設けて収納袋６２、６３の開閉を便利にし、また、各収納袋６２、６３には収納空間６２４を具えている為、動物と外出する際の携帯物品、予備の支片９０、嵌片２１６、便袋３０を収納することができ、また、一時的に使用後の便袋３０もしくは尿袋１０も収納可能である。各収納袋６２、６３下縁には、二つずつ対称位置にあり間隔を持つ複数の連結バンド６４、６５、６６、６７を設け、各連結バンド６４、６５、６６、６７の末端には、相互に嵌合するロック具（オス）６４１、６５１、ロック具（メス）６６１、６７１を設けて相対する連結バンドと嵌合し、動物の胸部及び腹部の周囲に回して定位される。ループ面６１には、牽引用ロープに繋ぐリング６１４を末端に具える連結バンド６１３を別に設け、連結バンド６８、６９、６１３中間には、反射リボン６１１、６１２、６１３１を設ける。図１９に示すとおり、ベスト６０の裏には、縦方向に間隔をあけて並んでいる複数のループ面６１５を具え、各ループ面６１５には粘着結合するフック面６１７を含む高さのある軟質クッション６１６を粘着、各クッション６１６間には空気道６１８を形成する。図２２に示すとおりベスト６０のループ面６１には、異なる色もしくは異なる図柄の覆部７０裏面のフック面７１を粘着することにより、ベストに異なる外観を提供、美感を向上させるのを助け、また、覆部７０には連結バンド６１３に相対する箇所に連結バンド６１３を通す為の穿孔７２を開設する。図２３に示すとおり、ベスト６０は軟質の包布８０を加えることも可能で、包布８０両側のフック面８１、８２はループ面６１に粘着結合し、動物の腹部を覆い保温効果をあげることができる。
【００１７】
図２４〜２９に示すとおり、本実施例のバンド４０の説明は下記のとおりであるが、バンド４０の胸囲部４２と連結バンド４４、４５の境には入れ物ケース５０を設け、入れ物ケース５０は開閉可能な蓋５１を具え、蓋５１と入れ物ケース５０側辺間には粘着可能なフック面及びループ面を付設して開閉を便利にし、また入れ物ケース５０には、予備の便袋３０、支片９０もしくは嵌片２１６を収納可能である。図２５に示すとおり、便器２０をバンドに結合する場合、固定座２１は各連結バンド２２、２３、２６、２７の牽引力によって動物の臀部に接触、並びに固定座２１の通孔２１１は動物の排便口に真向かう。動物が排便する時は、背中を少し丸め臀部は後方向から下方向の姿勢となり、固定座２１の凹部２１２底面は動物の尾根底面を支え、各連結バンド２２、２３、２６、２７は弾性によって伸張、固定座２１の通孔２１１及び便袋３０の開口３０１は動物の排便口に真向かい、糞が便袋３０内に排出された後、便袋３０は力を受けて自動的に下向きに伸張、その内部は収納空間を形成する為、更に多くの排出される糞をキャッチできる。動物が排便を完了し、立ち上がり姿勢を元に戻した後、糞をキャッチした便袋３０を支片２１４の切口端から取り出し、便袋３０を覆っていた上板片３１上の離型紙３６を剥がし上板片３１を二つに折って粘着すると便袋３０が密封する為、臭いの放出を防ぐことができる。糞をキャッチした便袋３０は、その場に捨てられるゴミ箱がない場合、入れ物ケース５０内に一時的に収納可能である。図２９に示すとおり、動物が更に排便するかどうかわからない場合は、予備として独立している支片９０の切口縁を便袋３０の上板片３１とジャバラ体３２間の隙間に嵌入、更に支片９０のフック面９１を固定座２１のループ面２１３に粘着結合固定する。図３０に示すとおり、固定座２１は便袋３０を嵌入した嵌片２１６を相対とするが、動物が再排便するかどうかわからない状況の下では、予備の嵌片２１６を便袋３０に嵌入、更に嵌片２１６のフック面２１７を元の嵌片２１６のループ面２１９に粘着結合固定する。
【図面の簡単な説明】
【００１８】
【図１】本発明に関する便袋収納時の立体見取図である。
【図２】本発明に関する便袋伸張時の立体見取図である。
【図３】本発明に関する便袋上端に直接フック面を設けた見取図である。
【図４】本発明に関する便袋の立体分解図である。
【図５】本発明に関する便袋上端面に付着している離型紙が剥がされた時の見取図である。
【図６】本発明に関する尿袋の立体見取図である。
【図７】本発明に関する尿袋の断面見取図である。
【図８】本発明に関する便器とバンドの実施例（1）立体見取図である。
【図９】本発明に関する図８固定座の断面図である。
【図１０】本発明に関する便器とバンドの実施例を動物身体に取り付けた立体見取図である。
【図１１】本発明に関する便器とバンドの別の実施例の立体見取図である。
【図１２】本発明に関する図１１の便器とバンドの実施例を動物身体に取り付けた立体見取図である。
【図１３】本発明に関する便器のもう一つの実施例の立体見取図である。
【図１４】本発明に関する便器のまた別の実施例の立体外観図及び嵌片を組み合わせた立体見取図である。
【図１５】本発明に関する図１４に組み合わせた固定座及び便袋の断面図である。
【図１６】本発明に関する図１４の便袋使用後、嵌片及び便袋を別に結合可能であることを表示した見取図である。
【図１７】本発明に関する便器の連結バンドの別の実施例の立体分解図、及び便袋上端面にフック面を設け、ループ面の固定座に直接粘着結合する実施例の見取図である。
【図１８】本発明に関する装着物の立体展開図である。
【図１９】本発明に関する装着物の裏面立体展開図である。
【図２０】本発明に関する装着物を動物の身体に取り付けた場合の側面見取図である。
【図２１】本発明に関する装着物を動物の身体に取り付けた場合の別の角度からの断面見取図である。
【図２２】本発明に関する装着物の背部に覆部を結合させる場合の立体見取図である。
【図２３】本発明に関する装着物の腹部に包布を組み合わせた立体見取図である。
【図２４】本発明に関するバンドに入れ物ケースを組み合わせた立体見取図である。
【図２５】本発明に関するバンド、便器、便袋を着用した動物の排便時における使用状態の見取り図である。
【図２６】本発明に関するバンド、便器、便袋を着用した動物の排便後における使用状態の見取り図である。
【図２７】本発明に関する便袋が糞をキャッチした場合の断面図である。
【図２８】本発明に関する図２７の便袋を密封した場合の断面図である。
【図２９】本発明に関する便袋を取外した後、予備の支片に新便袋を取り付けた場合の見取図である。
【図３０】本発明に関する便袋を取外した後、予備の嵌片に新便袋を取り付けた場合の見取図である。
【図３１】本発明に関する便袋及び尿袋を同時に便器上に結合、バンドを合わせて使用した場合の断面図である。
【図３２】本発明に関する支片表側の見取図である。
【図３３】本発明に関する支片裏側の見取図である。
【符号の説明】
【００１９】
１０      尿袋
１０１    入口
１０６    吸水体
１０７    隙間
１０８    延伸部
１０９    防御部
１００    防水層
１０２、１０３、１０４、１０５    翼片
１１０    表示線
２０      便器
２１      固定座
２１１    通孔
２１２    凹部
２１３    ループ面
２１４    支片
２１５    ループ面
２１６    嵌片
２１７    フック面
２１８    凹溝
２１９    ループ面
２９      ロック具（オス）
２１０１、２１０２、２１０３、２１０４  リング
２２、２３、２６、２７  連結バンド
２２１、２３１、２６１、２７１、２８１  ループ面
２２２、２３２、２６３、２７３、２４１、２５１、２７２、２８２  フック面
２４、２５、２６１、２７１、２８  結合部
３０      便袋
３０１    開口
３１      上板片
３１１    フック面
３１２    通孔
３２      ジャバラ体
３２１    通孔
３３      底板片
３４      離型紙
３４１    通孔
３５      離型紙
３５１    外円部
３５２    中心部
３６      離型紙
４０      バンド
４１      首囲部
４２      胸囲部
４３      腹囲部
４４、４５、４６、４７  連結バンド
４２１、４２２、４３１、４３２  嵌合具
４４１    リング
４８      ロック具（メス）
４９      結合部
４９１    ループ面
５０      入れ物ケース
５１      蓋
５２      フック面
５３      ループ面
６０      ベスト
６１      ループ面
６１４    リング
６１１、６１２、６１３１  反射リボン
６２、６３  収納袋
６４、６５、６６、６７、６８、６９、６１３  連結バンド
６４１、６５１、６８１  ロック具（オス）
６２１    ゴム
６６１、６７１、６９１  ロック具（メス）
６２４    収納空間
６２２、６２３    ループ面
６１５    ループ面
６１６    クッション
６１７    フック面
６１８    空気道
７０      覆部
７１      フック面
７２      穿孔
８０      包布
８１、８２  フック面
９０      支片
９１      フック面
９２      ループ面
【図１】
2006166914.tif 000003
【図２】
2006166914.tif 000004
【図３】
2006166914.tif 000005
【図４】
2006166914.tif 000006
【図５】
2006166914.tif 000007
【図６】
2006166914.tif 000008
【図７】
2006166914.tif 000009
【図８】
2006166914.tif 000010
【図９】
2006166914.tif 000011
【図１０】
2006166914.tif 000012
【図１１】
2006166914.tif 000013
【図１２】
2006166914.tif 000014
【図１３】
2006166914.tif 000015
【図１４】
2006166914.tif 000016
【図１５】
2006166914.tif 000017
【図１６】
2006166914.tif 000018
【図１７】
2006166914.tif 000019
【図１８】
2006166914.tif 000020
【図１９】
2006166914.tif 000021
【図２０】
2006166914.tif 000022
【図２１】
2006166914.tif 000023
【図２２】
2006166914.tif 000024
【図２３】
2006166914.tif 000025
【図２４】
2006166914.tif 000026
【図２５】
2006166914.tif 000027
【図２６】
2006166914.tif 000028
【図２７】
2006166914.tif 000029
【図２８】
2006166914.tif 000030
【図２９】
2006166914.tif 000031
【図３０】
2006166914.tif 000032
【図３１】
2006166914.tif 000033
【図３２】
2006166914.tif 000034
【図３３】
2006166914.tif 000035